(57)【要約】【課題】止水板が起立した状態であっても、通行人が該止水板を跨いで通行することができる新規な防水構造を提供する。【解決手段】倒伏状態から起立状態に亘って基端側に位置する支点１ａを中心に回動操作される止水板１と、この止水板の基端側の左右にそれぞれ形成され該止水板の倒伏状態においては垂下してなる左右のアーム部３１，３２の先端側の内側にそれぞれ形成された支持板部１７，１８と、上記止水板の倒伏状態に止水板の下方に位置し、基端側の左右両側は支軸４７を介して上記左右のアーム部に回動自在に連結されてなる踏み板２１と、止水板の倒伏状態において上記踏み板が載置される載置片１７と、止水板の起立状態を保持するロック手段６１，６２と、上記止水板，左右のアーム部等を内部に収容する凹部１０と、を備え、倒伏状態にある止水板を起立操作することにより、止水板の起立状態には、踏み板の上面は止水板が倒伏状態にある際の上面と同じ位置となされる。【選択図】  図１
2015086547.tif 000002
【特許請求の範囲】
【請求項１】
方形状に成形され倒伏状態から起立状態に亘って基端側に位置する支点を中心に回動操作されるとともに、この起立状態においては店舗又は地下鉄その他の建築物の出入口に配置した左右の支柱又は壁面に両端側が当接する止水板と、
この止水板の基端側の左右にそれぞれ形成され該止水板の倒伏状態においては垂下してなる左右のアーム部と、
これら左右のアーム部の先端側の内側にそれぞれ形成された支持板部と、
上記止水板の倒伏状態においては該止水板の下方に位置してなるとともに、基端側の左右両側は支軸を介して上記左右のアーム部に回動自在に連結されてなる踏み板と、
少なくとも上記止水板の倒伏状態において上記踏み板が載置される載置片と、
上記止水板が起立した状態を保持するロック手段と、上記止水板，左右のアーム部及び踏み板が内部に収容する凹部と、を備え、
倒伏状態にある上記止水板を起立操作することにより、上記踏み板の基端側が徐々に上方に移動し、
該止水板が起立状態とされた際においては、上記踏み板の上面は止水板が倒伏状態にある際の上面と同じ位置となされるとともに、該踏み板は上記支持片によりその荷重が支持されてなることを特徴とする防水構造。
【請求項２】
前記踏み板は、上方から下方に雨水を通過させる複数の透孔が形成され、前記止水板の基端は建築物の出入口の内側に位置してなり、この建築物の出入口の内側の下方には上方に開口が形成され内側が貯水空間とされた貯水タンクが配置されてなるとともに、
上記貯水タンクに形成された開口の少なくとも上記出入口の内側は、上記止水板が倒伏状態にある場合は止水板により閉塞され、該止水板が起立状態にある場合には前記踏み板により閉塞されており、前記止水板，左右のアーム部及び踏み板を内部に収容する凹部は上記貯水タンクに形成された貯水空間であることを特徴とする請求項１記載の防水構造。
【請求項３】
前記貯水タンク内には、該貯水タンク内に流入した雨水を排出する排水ポンプが配置されてなるとともに、この排水ポンプには、排水管の基端が接続され、該排水管の先端は、前記建築物の外部に位置するよう配管されてなることを特徴とする請求項２記載の防水構造。
【請求項４】
前記貯水タンクに形成された開口は、前記止水板又は踏み板及び該止水板又は踏み板の先端側に配置された閉塞板により閉塞され、
上記止水板及び踏み板の先端又は上記閉塞板の端面の何れかには、ロック部材と、このロック部材を上記閉塞板の端面側若しくは止水板又は踏み板の先端側に突出するよう付勢してなる弾性部材と、上記ロック部材をこの弾性部材の弾性力に抗して移動操作するロック解除操作部とが配置され、
上記閉塞板の端面若しくは止水板又は踏み板の先端面には、上記それぞれのロック部材の先端側が挿入され該ロック部材と係合する係合穴が形成されてなることを特徴とする請求項２記載の防水構造。
【発明の詳細な説明】
【技術分野】
【０００１】
本発明は、建物の出入口、地下への出入口、地下駐車場への出入口等の建築物の出入口に配置され、洪水時の浸水を防止する防水構造及びこの防水構造に関するものである。
【背景技術】
【０００２】
従来、建物の出入口や地下への出入口等には、大量の降雨に伴う雨水が建物内に浸入することを防止するために、各種の防水構造が提案され又は実施されている。これらの防水構造は、上記建物内への雨水の浸入を規制する止水板（防水板，止水壁）を配置したものであり、上記止水板は、上下に昇降するタイプや軸を中心に回動するタイプ等、様々なものが提案されている。例えば、特許文献１に開示された防水構造は、水平状態に位置する止水板が、流入しようとする水の浮力により支点を中心に起立するよう回動するタイプのものであり、特許文献２に開示された防水構造は、モータの駆動により倒伏状態にある止水板を起立させるタイプのものである。
【先行技術文献】
【特許文献】
【０００３】
【特許文献１】特開２０１２−  ６２７４２号公報
【特許文献１】特開２００４−３５３２３６号公報
【発明の概要】
【発明が解決しようとする課題】
【０００４】
しかしながら、上記各特許文献にそれぞれ開示された防水構造では、通常時において、倒伏状態にある止水板の上部は、客や従業員又は通行人が出入りする個所であることから、略水平状態に位置し、止水板の上面と該止水板の周囲の部材等の上面とは面一とされているが、この止水板が起立した状態においては、それまで略水平状態にあった止水板の少なくとも板厚の深さの凹部が形成され、この起立した止水板を跨いで通行する場合には、上記凹部またはその段差により通行人が躓いたり嵌ったりする危険性が高い。特に、モータ等の駆動力を使用して止水板を起立させる構造にあっては、これらモータ等を収容するために更に深い凹部が形成され、極めて危険な状態となり、実質的に止水板を起立させた状態においては通行人を通行させることはできない。
【０００５】
そこで、本発明は、こうした従来の防水構造が有する課題を解決するために提案されたものであって、上記止水板により建築物等の内部に雨水が浸入することを防止できるばかりではなく、止水板が起立した状態であっても、通行人が該止水板を跨いで通行することができる新規な防水構造を提供することを目的とするものである。
【課題を解決するための手段】
【０００６】
本発明は、上記課題を解決するために提案されたものであって、第１の発明（請求項１記載の発明）は、方形状に成形され倒伏状態から起立状態に亘って基端側に位置する支点を中心に回動操作されるとともに、この起立状態においては店舗又は地下鉄その他の建築物の出入口に配置された左右の支柱又は壁面に両端側が当接する止水板と、この止水板の基端側の左右にそれぞれ形成され該止水板の倒伏状態においては垂下してなる左右のアーム部と、これら左右のアーム部の先端側の内側にそれぞれ形成された支持板部と、上記止水板の倒伏状態においては該止水板の下方に位置してなるとともに、基端側の左右両側は支軸を介して上記左右のアーム部に回動自在に連結されてなる踏み板と、少なくとも上記止水板の倒伏状態において上記踏み板が載置される載置片と、上記止水板が起立した状態を保持するロック手段と、上記止水板，左右のアーム部及び踏み板が内部に収容する凹部と、を備え、倒伏状態にある上記止水板を起立操作することにより、上記踏み板の基端側が徐々に上方に移動し、該止水板が起立状態とされた際においては、上記踏み板の上面は止水板が倒伏状態にある際の上面と同じ位置となされるとともに、該踏み板は上記支持片によりその荷重が支持されてなることを特徴とするものである。
【０００７】
この第１の発明に係る防水構造では、止水板が起立された際には、踏み板の上面は倒伏状態にあった止水板の上面の位置に、該踏み板の上面が位置することとなり、止水板等が倒伏状態において収容されていた凹部は上記踏み板により閉塞される。したがって、止水板が起立され上記ロック手段によりロックされた状態において、この踏み板を跨いで通行する通行人が、躓いたり怪我をしたりする危険性を有効に回避することができる。
【０００８】
すなわち、この第１の発明では、止水板が倒伏状態にある場合は、通行人等は、この止水板を踏みながら店舗や地下鉄の入り口等を通行する際に踏まれる。そして、集中豪雨等により建築物内に雨水が流入する事態が予想される場合には、倒伏状態にある止水板が起立するよう該止水板の先端側を把持しながら上記支点を中心に回動操作する（持ち上げる）。すると、この止水板の回転角度と同じ角度で上記左右のアームも回転させられる。この左右のアームは止水板の倒伏状態においては垂下してなることから、左右のアームは徐々に上方に移動する。一方、上記踏み板は、止水板が倒伏状態にある場合には、該踏み板の下方に位置し、その荷重は上記載置片により支持されている。そして、上述したように、止水板が起立操作され左右のアームが回転すると、上記踏み板は左右のアームに対して支軸を介して連結されていることから、該踏み板の基端側は上方に持ち上げられ、やがて上記左右のアームに形成された支持板部に支持されながら、該踏み板全体が上昇し、止水板が完全に起立操作され上記ロック手段によりロックされた際には、上記支持板部に支持されるとともに、該踏み板の上面は、止水板が倒伏状態にある（倒伏状態にあった）際の上面と同じ位置となされる。したがって、起立した止水板を跨いで通行する通行人は、この踏み板を踏みながら建築物の出入口を安全に通行することが可能となる。
【０００９】
なお、上記止水板は、雨水が建築物内に流入することを阻止するものであることから、該止水板の左右両側は、建築物の出入口に配置された左右の支柱や壁の側面に当接し雨水が隙間から流入することがないようスポンジやゴム板等を施すことが好ましい。また、上記止水板，左右のアーム部及び踏み板を内部に収容する凹部が形成された床部材は、少なくともこの第１の発明においては、例えばコンクリートやステンレススチール又は鉄等の金属を素材とするものであっても良く、上記倒伏状態にある止水板等を収容可能な凹部が形成されていれば良い。或いは、後述するように、止水板が起立状態とされた際に該止水板よりもやや建築物側に配置されたタンクを閉塞する板が、上記床部材であっても良く、凹部はこのタンクに形成された空間であっても良い（第２の発明参照）。また、上記止水板の倒伏状態において上記踏み板が載置される載置片は、上記凹部の底面から起立した起立片の上端に形成されているものでも良いし、或いは、上記左右のアーム部の移動軌跡に干渉しない位置であって、上記凹部の壁面から水平に突出してなるものであっても良い。
【００１０】
また、第２の発明（請求項２記載の発明）は、上記第１の発明において、前記踏み板は、上方から下方に雨水を通過させる複数の透孔が形成され、前記止水板の基端は建築物の出入口の内側に位置してなり、この建築物の出入口の内側の下方には上方に開口が形成され内側が貯水空間とされた貯水タンクが配置されてなるとともに、上記貯水タンクに形成された開口の少なくとも上記出入口の内側は、上記止水板が倒伏状態にある場合は止水板により閉塞され、該止水板が起立状態にある場合には前記踏み板により閉塞されており、前記止水板，左右のアーム部及び踏み板を内部に収容する凹部は上記貯水タンクに形成された貯水空間であることを特徴とするものである。
【００１１】
この第２の発明に係る防水構造では、建築物の出入口の内側の下方には貯水タンクが配置され、上記貯水タンクに形成された開口の少なくとも上記出入口の内側は、上記止水板が倒伏状態にある場合は止水板により閉塞されている。すなわち、雨水が建築物の出入口から該建築物の内側に流入する危険性の無い通常時においては、上記止水板を踏みながら建築物に対する出入りがされる。一方、集中豪雨等により雨水が建築物の出入口から該建築物の内側に流入する危険性が生じ、上記止水板を起立状態になるよう操作すると、上記止水板に替わって上記踏み板が上記貯水タンクの開口を閉塞する。この踏み板には、上方から下方に雨水を通過させる複数の透孔が形成されていることから、雨に濡れた通行人から、或いはその通行人が所持する傘等の雨具から滴り落ちた雨水は、これら複数の透孔を通過して上記貯水タンクに落下する。
【００１２】
したがって、この第２の発明に係る防水構造によれば、集中豪雨等により建築物の出入口から該建築物の内側に雨水が流入した場合であっても上記貯水タンクに落下することから、建築物の内側（建築物の内部であって踏み板が配置された位置よりもさらに内側）に雨水が浸入することを抑制することが可能となる。
【００１３】
また、第３の発明（請求項３記載の発明）は、上記第２の発明において、
前記貯水タンク内には、該貯水タンク内に流入した雨水を排出する排水ポンプが配置されてなるとともに、この排水ポンプには、排水管の基端が接続され、該排水管の先端は、前記建築物の外部に位置するよう配管されてなることを特徴とするものである。
【００１４】
この第３の発明に係る排水構造では、雨に濡れた通行人から、或いはその通行人が所持する傘等の雨具から滴り落ちた雨水ばかりではなく、例えば建築物の出入口から雨水が流入した場合であっても、上記貯水タンク内の雨水は、上記排水ポンプ及び排水管を介して建築物の外部に強制的に排出することが可能となる。したがって、この第３の発明によれば、建築物の内部が雨水により浸水することを防止することができる。
【００１５】
また、第４の発明（請求項４記載の発明）は、上記第２の発明において、前記貯水タンクに形成された開口は、前記止水板又は踏み板及び該止水板又は踏み板の先端側に配置された閉塞板により閉塞され、上記止水板及び踏み板の先端又は上記閉塞板の端面の何れかには、ロック部材と、このロック部材を上記閉塞板の端面側若しくは止水板又は踏み板の先端側に突出するよう付勢してなる弾性部材と、上記ロック部材をこの弾性部材の弾性力に抗して移動操作するロック解除操作部とが配置され、上記閉塞板の端面若しくは止水板又は踏み板の先端面には、上記それぞれのロック部材の先端側が挿入され該ロック部材と係合する係合穴が形成されてなることを特徴とするものである。
【００１６】
この第４の発明に係る防水構造では、上記止水板が倒伏状態である場合には、この止水板と閉塞板とは上記ロック部材によりロックされ、また、止水板が起立状態である場合には、上記踏み板と閉塞板とは上記ロック部材によりロックされる。したがって、上記止水板が倒伏状態である場合や踏み板により上記タンクの開口が閉塞されている場合において、不用意に該止水板又は踏み板の先端側が上方に移動することが規制され、建築物の出入口を通行する通行人が躓く等の危険性を有効に防止することができる。
【発明の効果】
【００１７】
上記第１の発明（請求項１記載の発明）に係る防水構造では、止水板が起立された際には、踏み板の上面は倒伏状態にあった止水板の上面の位置に、該踏み板の上面が位置することとなり、止水板等が倒伏状態において収容されていた凹部は上記踏み板により閉塞される。したがって、止水板が起立され上記ロック手段によりロックされた状態において、この踏み板を跨いで通行する通行人が、躓いたり怪我をしたりする危険性を有効に回避することができる。
【００１８】
また、第２の発明（請求項２記載の発明）に係る防水構造によれば、集中豪雨等により建築物の出入口から該建築物の内側に雨水が流入した場合であっても上記貯水タンクに落下することから、建築物の内側（建築物の内部であって踏み板が配置された位置よりもさらに内側）に雨水が浸入することを抑制することが可能となる。
【００１９】
また、第３の発明（請求項３記載の発明）に係る防水構造では、雨に濡れた通行人から、或いはその通行人が所持する傘等の雨具から滴り落ちた雨水ばかりではなく、例えば建築物の出入口から雨水が流入した場合であっても、上記貯水タンク内の雨水は、上記排水ポンプ及び排水管を介して建築物の外部に強制的に排出することが可能となることから、建築物の内部が雨水により浸水することを防止することができる。
【００２０】
また、第４の発明（請求項４記載の発明）に係る防水構造では、上記止水板が倒伏状態である場合には、この止水板と閉塞板とは上記ロック部材によりロックされ、また、止水板が起立状態である場合には、上記踏み板と閉塞板とは上記ロック部材によりロックされることから、上記止水板が倒伏状態である場合や踏み板により上記タンクの開口が閉塞されている場合において、不用意に該止水板又は踏み板の先端側が上方に移動することが規制され、建築物の出入口を通行する通行人が躓く等の危険性を有効に防止することができる。
【図面の簡単な説明】
【００２１】
【図１】本発明の実施の形態に係る防水構造であって止水板が起立した状態を模式的に示す平面図である。
【図２】図１に示す起立された止水板近傍の構成を拡大して示す平面図である。
【図３】止水板が起立した状態を模式的に示す正面図である。
【図４】止水板が起立した状態を模式的に示す側面図である。
【図５】止水板が倒伏した状態を模式的に示す側面図である。
【図６】図５に示す状態から止水板を約４５度回動操作した後の状態を模式的に示す側面図である。
【図７】図６に示す状態から止水板を起立させた後の状態を模式的に示す側面図である。
【図８】止水板の回動軸を回動可能に支持する支持部材を示す分解斜視図である。
【図９】店舗に配置した貯水タンクと左防水板及び右防水板の配置状態を店舗の既設構造と共に模式的に示す斜視図である。
【図１０】店舗に配置した貯水タンクと左防水板及び右防水板の配置状態を模式的に示す斜視図である。
【発明を実施するための形態】
【００２２】
以下、本発明を実施するための最良の形態に係る防水構造について図面を参照しながら詳細に説明する。
【００２３】
この発明の第１の実施の形態に係る防水構造は、本発明を、コンビニエンスストアーのような店舗に適用したものであり、この防水構造を模式的に描いた図１に示すように、店舗の出入口に配置された左右の自動ドアＤ１，Ｄ２の内側（店舗の内側）に起立した止水板１を備えている。この店舗は、上記左右の自動ドアＤ１，Ｄ２の端部が近接し、図２，図３又は図９に示すように、出入口が閉塞されている状態において、上記左の自動ドアＤ１の左側には、左右の出入口が開放され左の自動ドアＤ１が左側に移動した際に該左の自動ドアＤ１の正面（店舗の外側）に裏面が対向する左フィックスＦ１が形成され、上記右の自動ドアＤ２の右側には、左右の出入口が開放され右の自動ドアＤ２が右側に移動した際に該右の自動ドアＤ２の正面（店舗の外側）に裏面が対向する右フィックスＦ２が形成されている。なお、上記左フィックスＦ１は、基礎から起立された一方の左支柱Ｌ１及び一方の右支柱Ｌ２とこれら一方の左支柱Ｌ１と一方の右支柱Ｌ２との間に固定されたガラス板（符号は省略する。）から構成されている。また、上記右フィックスＦ２は、基礎から起立された他方の左支柱Ｒ１及び他方の右支柱Ｒ２とこれら他方の左支柱Ｒ１と他方の右支柱Ｒ２との間に固定されたガラス板（符号は省略する。）から構成されている。そして、上記左フィックスＦ１を構成する上記一方の左支柱Ｌ１の背面には一方の左防水支柱２が店舗の床面から起立した状態で固定され、上記一方の右支柱Ｌ２の後方であって上記左の自動ドアＤ１の移動範囲よりも店舗の内側には、一方の右防止支柱３が店舗の床面から起立した状態で固定されている。また、上記右フィックスＦ２を構成する上記他方の右支柱Ｒ２の背面には他方の右防水支柱４が店舗の床面から起立した状態で固定され、上記他方の左支柱Ｒ１の後方であって上記右の自動ドアＤ２の移動範囲よりも店舗の内側には、他方の左防止支柱５が店舗の床面から起立した状態で固定されている。
【００２４】
上記一方の左防水支柱２と一方の右防止支柱３及び上記他方の右防水支柱４と他方の左防止支柱５の高さ位置は、それぞれ互いに同じ位置であって、この例では、人の膝の高さ位置とされ、起立状態における上記止水板１の高さ位置は、上記一方の左防水支柱２と一方の右防止支柱３等の高さ位置とはやや低い高さ位置とされている。そして、上記一方の左防水支柱２と他方の右防水支柱４とは、図２に拡大して示すように、対称形状に成形されてなるものであって、上記一方の左支柱Ｌ１又は他方の右支柱Ｒ２の背面に固定された固定板部２ａ，４ａと、それぞれこの固定板部２ａ，４ａからＬ字状に折曲されそれぞれ互いに面対向する対向板部２ｂ，４ｂと、この対向板部２ｂ，４ｂから互いに接近するようにＬ字状に折曲されてなる折曲板部２ｃ，４ｃとから構成され、それぞれ略クランク状に成形されている。また、上記一方の右防止支柱３と他方の左防止支柱５とは、図１に示すように対称形状に成形されてなるものであって、上記左フィックスＦ１又は右フィックスＦ２に面対向する対向板部３ａ，５ａと、この対向板部３ａ，５ａの右端又は左端から店舗の内側にＬ字状に折曲された折曲板部３ｂ，５ｂと、上記対向板部３ａ，５ａの左端又は右端から店舗の内側にＬ字状に折曲され上記折曲板部３ｂ，５ｂと面対向する第１の中間折曲板部３ｃ，５ｃと、この第１の中間折曲板部３ｃ，５ｃの端部から互いに離間する方向にＬ字状に折曲され上記左フィックスＦ１又は右フィックスＦ２に面対向する第２の折曲板部３ｄ，５ｄと、この第２の折曲板部３ｄ，５ｄの端部から店舗の内側にＬ字状に折曲され互い対向する側板部３ｅ，５ｅとから構成されている。
【００２５】
そして、上記一方の左防水支柱２を構成する上記対向板部２ｂと折曲板部２ｃとによりＬ字状に形成された部位から上記一方の右防止支柱３を構成する第１の中間折曲板部３ｃと第２の折曲板部３ｄとによりＬ字状に形成された部位には、塩化ビニルを素材とし方形状に成形されてなるとともに上記左フィックスＦ１に面対向してなる左防水板６が固定され、上記他方の右防水支柱４を構成する上記対向板部４ｂと折曲板部４ｃとによりＬ字状に形成された部位から上記他方の左防止支柱５を構成する第１の中間折曲板部５ｃと第２の折曲板部５ｄとによりＬ字状に形成された部位には、塩化ビニルを素材とし方形状に成形されてなるとともに上記右フィックスＦ２に面対向右してなる右防水板７が固定されている。なお、上記左防水板６は、上記左の自動ドアＤ１と左フィックスＦ１との間からこの店舗内に雨水が浸入することを防止することを目的として固定・配置されたものであり、上記右防水板７は、上記右の自動ドアＤ２と右フィックスＦ２との間からこの店舗内に雨水が浸入することを防止することを目的として固定・配置されたものである。
【００２６】
また、この実施の形態に係る防水構造は、図１に示すように、貯水タンク１０が配置されている。この貯水タンク１０は、図示しない店舗の床板の下方に配置されてなるものであり、図１及び図３に示すように、全体形状が直方体状に成形されてなるものであって、内部には雨水が貯水される貯水空間が形成され、上部には方形状の開口が形成されている。この貯水タンク１０は、ステンレススチールを素材としてなるものであり、図３に示すように、方形状に成形された底板部１０ａと、正面側に形成された正面側板部１０ｂと、この正面側板部１０ｂと面対向してなる背面側板部１０ｃと、図１に示すように、左側板部１０ｄ及び右側板部１０ｅと、上記貯水空間内を仕切り、上記正面側板部１０ｂと面対向してなる第１の仕切り板部１０ｆと、この第１の仕切り板部１０ｆ内を更に仕切る第２の仕切り板部１０ｇを備えている。そして、上記左側板部１０ｄと第１及び第２の仕切り板部１０ｆ，１０ｇにより仕切られた空間内には、排水ポンプ１２が配置されている。
【００２７】
そして、上記貯水タンク１０を構成する正面側板部１０ｂは、上記左右の自動ドアＤ１，Ｄ２の配置位置よりも僅かに店舗の内側に位置している。そして、上記貯水タンク１０には、図４に示すように、上記第１の仕切り板１０ｆを境に、店舗の奥側は第１の閉塞蓋１３により閉塞され、店舗の出入口側の一部は第２の閉塞蓋１４（本発明を構成する閉塞板）により閉塞されている。なお、上記貯水タンク１０を構成する背面板部１０ｃ，左側板部１０ｄ，右側板部１０ｅ及び第１の仕切り板部１０ｆの内側の上端側中途部には、上記第１の閉塞板１３を載置する載置板部（符号は省略する。）が形成されている。また、左側板部１０ｄ及び右側板部１０ｅの上端側中途部には、上記第２の閉塞蓋１４を載置する載置板部（符号は省略する。）が形成されている。なお、上記第１及び第２の閉塞蓋１３，１４は何れもステンレススチールを素材とするものであり、特に開口等は形成されていない。また、上記第２の閉塞蓋１４は、上記第１の仕切り板１０ｆから正面側板部１０ｂまでの開口の約半分を閉塞するものであり、該第２の閉塞蓋１４の正面の中央を境にして左側には第１の係合凹部１４ａが形成され、右側には第２の係合凹部１４ｂが形成されている（図１参照）。上記第１の係合凹部１４ａ及び第２の係合凹部１４ｂは、本発明を構成する係合穴である。また、図１に示すように、上記貯水タンク１０を構成する左側板部１０ｄの内側面には、左載置片１７の基端が溶接され、右側板部１０ｅの内側面には、右載置片１８の基端が溶接されている。これら、左載置片１７及び右載置片１８は、本発明を構成する支持片であり、それぞれ止水板１が倒伏状態となされた際における後述の踏み板２１が載置・支持される部材であり、それぞれ水平状態に位置してなる。
【００２８】
そして、上記第２の閉塞蓋１４と上記貯水タンク１０を構成する正面板部１０ｂとの間の空間は、本発明を構成する上記止水板１が、図５に示すように、倒伏状態においては該止水板１により閉塞され、図７に示すように、該止水板１が起立状態においては、踏み板２１により閉塞される。上記止水板１は、略長方形状に成形されてなる板体であり、起立状態において下端（倒伏状態においては正面端）は、図８に示すように円弧状に湾曲されてなるものであり、左右の端面の下端側には、（それぞれ）回動軸１ａが突出されてなり、（それぞれの）回動軸１ａの先端にはリング１ｂが固定されている。また、図４に示すように、上記貯水タンク１０を構成する正面板部１０ｂの上端側の内側（の左右）には、（それぞれ）上記回動軸１ａを回動可能に支持する回動支持部材２２が固定されている。この回動支持部材２２は、基端が上記貯水タンク１０の正面板部１０ｂの内側に溶接されてなる台座板２４と、この台座板２４を下方から支持し基端は上記正面板部１０ｂに溶接されてなり三角形状に成形されてなる支持板部材２５と、上記台座板２４の上面に固定され上面には半円状の溝部２６ａが形成されてなる下部回動支持部材２６と、この下部回動支持部材２６と協同して上記回動軸１ａを支持してなるとともに半円状の溝部２７ａが下面に形成されてなる上部回動支持部材２７とを備えている。なお、上記下部回動支持部材２６の上面であって上記溝部２６ａを間にした両側には、それぞれ内周にネジが螺刻されたネジ穴２６ｂ，２６ｃが形成され、上記上部回動支持部材２７の下面であって上記溝部２７ａを間にした両側には、それぞれボルト挿通穴２７ｂ，２７ｃが形成されている。そして、上記下部回動支持部材２６と上部回動支持部材２７とは、上記ボルト挿通穴２７ｂ，２７ｃに挿通されるとともに上記ネジ穴２６ｂ，２７ｃに螺着されるボルト２８，２９により固定されている。したがって、上記止水板１は、上記それぞれの回動支持部材２２により支持されたそれぞれの回動軸１ａを中心に（支点として）、図５に示す倒伏状態から図７に示す起立状態に亘って回動自在とされている。
【００２９】
また、上記止水板１の基端側の左右両側には、それぞれ該止水板１の倒伏状態においては垂下してなり、図２に示すように、上記止水板１が起立状態である場合には、図４又は図７に示すように水平状態とされるアーム部３１，３２がそれぞれ左右両側に形成されている。そして、これら左のアーム部３１と右のアーム部３２との間には、図１に示すように、止水板１が起立状態である場合には、上記貯水タンク１０の開口を閉塞するとともに、上記止水板１を跨いで店舗の出入口を通行する通行人により踏まれる踏み板２１が配置されている。この踏み板２１は、図１に示すように、細長い開口２１ａが多数形成されており、これらの開口２１ａから雨水が上記貯水タンク１０内に落下するようにされている。すなわち、この踏み板２１はグレーチングにより構成されている。また、この踏み板２１の背面（垂下している場合には、下端面）の左側には、上記第２の閉塞蓋１４方向に開口を有する第１のロック部材収容凹部（符号は省略する。）が形成され、右側には、上記第２の閉塞蓋１４方向に開口を有する第２のロック部材収容凹部（符号は省略する。）が形成されている。
【００３０】
そして、上記第１のロック部材収容凹部内には、図５に示すように、上記第２の閉塞蓋１４の正面に形成された凹部１４ａ内に先端側が挿入される第１のロック部材３４と、この第１のロック部材３４を常時上記凹部１４ａ方向に付勢する第１の弾性部材３５とが収容されている。そして、上記第１のロック部材３４の基端には、第１の進退軸３６の先端が固定され、この第１の進退軸３６の中途部には、上記第１の弾性部材３５が配置されている。また、上記第２のロック部材収容凹部内には、上記第２の閉塞蓋１４の正面に形成された凹部１４ｂ内に先端側が挿入される第２のロック部材（符号は省略する。）と、この第２のロック部材を常時上記凹部１４ｂ方向に付勢する第２の弾性部材（符号は省略する。）が収容されている。そして、上記第２のロック部材の基端には、第２の進退軸（符号は省略する。）の先端が固定され、この第２の進退軸の中途部には、上記第２の弾性部材が配置されている。なお、上記第１及び第２のロック部材収容凹部には、上記第１又は第２の進退軸３６の中途部が挿通される挿通穴（符号は省略する。）が形成され、該第１又は第２の進退軸３６の中途部であって上記第１又は第２のロック部材収容凹部の外側には、該第１又は第２の進退軸３６が第１又は第２のロック部材収容凹部に所定長さ以上移動することを規制する規制部３６ａが形成されている。そして、図１に示すように、上記踏み板２１の中央には、第２のロック解除レバー４０が配置されている。この第２のロック解除レバーは、本発明を構成するロック解除操作部であり、図５に示す中央凹部３９内に配置されてなるものであり、上面が踏み板２１の上面よりもやや下方に位置し作業者が解除送操作を行う操作部４０ａと、この操作部４０ａの先端から斜め下方に延在された傾斜部４０ｂとから構成されている。そして、この第２のロック解除レバーは、上記操作部４０ａと傾斜部４０ｂとの間には、回動軸（符号は省略する。）が固定され、この回動軸の左右両端は、この中央凹部３９を形成する踏み板２１に該第２のロック解除レバーが回動操作できるよう支持されている。また、上記第２のロック解除レバーを構成する上記傾斜部４０ｂの先端の左右両側には、連結軸４４，４４の基端が連結され、これらの連結軸４４，４４の先端は、上記第１又は第２の進退軸３６の基端側中途部において回動軸（符号は省略する。）を介して回動自在に連結されている。すなわち、この実施の形態に係る防水構造では、上記第２のロック解除レバーを構成する操作部４０ａの先端側が踏み板２１の上面よりも上方に位置するように回動操作することにより、上記連結軸４４，４４が移動し、これによって上記各弾性部材３５の弾性力に抗して上記第１及び第２のロック部材３４が上記各凹部１４ａ，１４ｂ内から外側に移動するように構成されている。なお、上記第１及び第２のロック部材３４の先端面は、後述する動作によって、第２の閉塞蓋１４の下方から移動する際に、該閉塞蓋１４の端面の下方に摺接することにより、自動的に上記弾性部材３５の弾性力に抗して第１又は第２のロック部材収容凹部内に退くように円弧状に成形されている。
【００３１】
そして、このように構成された踏み板２１の左右両側には、本発明を構成する支軸としての回動軸４７が形成され、これらの回動軸４７を介して上記左右のアーム部３１，３２の内側において回動自在に連結されている。すなわち、上記止水板１が倒伏状態にある場合には、図５に示すように、踏み板２１の基端側は、上記回動軸４７を介して上記左右のアーム部３１，３２の基端側中途部に支持され、該踏み板２１の先端側中途部は、上記貯水タンク１０に固定された左載置片１７と右載置片１８とにより支持されている。
【００３２】
また、上記止水板１が倒伏状態において、その上面には、図５に示すように、中央凹部５１が形成され、この中央凹部５１内には、上記第２のロック解除レバーと同じ構成とされた第１のロック解除レバー５２が配置され、該止水板１の左側には、上記第２の閉塞蓋１４方向に開口を有する第１のロック部材収容凹部（符号は省略する。）が形成され、右側には、上記第２の閉塞蓋１４方向に開口を有する第２のロック部材収容凹部（符号は省略する。）が形成されている。
【００３３】
そして、上記第１のロック部材収容凹部内には、図５に示すように、上記第２の閉塞蓋１４の正面に形成された凹部１４ａ内に先端側が挿入される第１のロック部材５３と、この第１のロック部材５３を常時上記凹部１４ａ方向に付勢する第１の弾性部材５４とが収容されている。そして、上記第１のロック部材５３の基端には、第１の進退軸５５の先端が固定され、この第１の進退軸５５の中途部には、上記第１の弾性部材５４が配置されている。また、上記第２のロック部材収容凹部内には、上記第２の閉塞蓋１４の正面に形成された凹部１４ｂ内に先端側が挿入される第２のロック部材（符号は省略する。）と、この第２のロック部材を常時上記凹部１４ｂ方向に付勢する第２の弾性部材（符号は省略する。）が収容されている。そして、上記第２のロック部材の基端には、第２の進退軸（符号は省略する。）の先端が固定され、この第２の進退軸の中途部には、上記第２の弾性部材が配置されている。なお、上記第１及び第２のロック部材収容凹部には、上記第１又は第２の進退軸５５の中途部が挿通される挿通穴（符号は省略する。）が形成され、該第１又は第２の進退軸５５の中途部であって上記第１又は第２のロック部材収容凹部の外側には、該第１又は第２の進退軸５５が第１又は第２のロック部材収容凹部に所定長さ以上移動することを規制する規制部５５ａが形成されている。そして、上記止水板１の中央には、上記第２のロック解除レバー４０と同じ構成に係る第１のロック解除レバーが配置され、この第１のロック解除レバーは、図５に示す中央凹部５１内に配置されてなるものであり、その他の構成は、上記踏み板２１を構成するものと同様の構成からなり、上記第１のロック解除レバー５２を構成する操作部（符号は省略する。）の先端側が止水板１の上面よりも上方に位置するように回動操作することにより、上記連結軸（符号は省略する。）が移動し、これによって上記各弾性部材５４の弾性力に抗して上記第１及び第２のロック部材５４が上記各凹部１４ａ，１４ｂ内から外側に移動するように構成されている。
【００３４】
また、上記一方の右防止支柱３を構成する対向板部３ａと、上記他方の左防止支柱５を構成する対向板部３ａ，５ａの上端側中途部の背面には、図２に示すように、それぞれ起立板１が起立状態となるように操作された後に、該止水板１の左右両側を保持するために用いられるロック手段としての回動ロック部材６１，６２が配置されている。これら回動ロック部材６１，６２は、同様の構成から成るものであることから、左側に配置された回動ロック部材６１を説明する。この回動ロック部材６１は、図２に示すように、上記一方の右防止支柱３を構成する対向板部３ａの背面の左右に固定された支持プレート６４，６５の間であって、該支持プレート６４，６５に両端が固定された回動軸６７（図５参照）を中心に回動自在に配置されたものであり、起立状態とされた止水板１の先端と係合するロック部材本体６１ａと、このロック部材本体６１ａに基端が固定され作業者が手指で把持するとともに止水板１をロックし又はそのロック状態を解除する操作レバー６１ｂとか構成されている。なお、上記一方の右防止支柱３を構成する対向板部３ａ（及び他方の左防止支柱５を構成する対向板部５ａ）の背面には、起立状態とされた止水板１の正面との隙間から雨水が浸入することを防止するゴム又は軟質樹脂を素材とする漏水防止材７１が配置されている。
【００３５】
したがって、図５に示すように、上記止水板１が倒伏状態にあり、上記第２の閉塞蓋１４に並んで上記貯水タンク１０の開口を閉塞している場合においては、上記止水板１に設けられた第１のロック部材５３と第２のロック部材のそれぞれ先端側は、上記第２の閉塞蓋１４に形成された凹部１４ａ，１４ｂ内に挿入され、不用意に起立しないようにされてなるとともに、該止水板１の荷重の一部は、上記第１のロック部材５３と第２のロック部材を介して上記第２の閉塞蓋１４により支持されている。また、この止水板１の他の荷重は、該止水板１の左右に形成されたアーム部３１，３２が上記貯水タンク１０を構成する正面側板１０ｂに当接していることから、該アーム部３１，３２により支持されている。また、このように、止水板１が倒伏状態にある場合には、上記第２の閉塞蓋１４の上面と該止水板１の上面とは面一とされ、上記左右の自動ドアＤ１，Ｄ２が開き、この店舗の出入口から出入りする通行人は、この止水板１上を通行する。また、このように止水板１が倒伏状態にある場合において、上記踏み板２１は、上記倒伏した止水板１の下方に位置し、その基端側は、上記左右の回動軸４７を介して上記アーム部材３１，３２に支持され、その先端側は、上記左載置片１７と右載置片１８とによりそれぞれ支持されている。
【００３６】
そして、例えば、集豪雨等により、雨水が店舗の内部に浸入することが予想される場合、作業者が、上記止水板１に設けられた第１のロック解除レバー５２を構成する操作部を上方に回動操作すると、それまで第２の閉塞蓋１４に形成された凹部１４ａ，１４ｂ内に挿入されていた第１のロック部材５３と第２のロック部材は、それぞれ弾性部材５４の弾性力に抗して該止水板１の基端側に移動し、第２の閉塞蓋１４との係合（ロック状態）が解除される。そして、この止水板１を上記左右の回動軸１ａを支点（中心）に徐々に起立動作すると、上記左右のアーム部材３１，３２も徐々に図５中時計回り方向に回動されると、図６に示すように、上記踏み板２１の基端側は徐々に上方に移動しやや傾斜した状態となる。そして、更に止水板１を回動操作し、上記一方の右防止支柱３を構成する対向板部３ａ及び他方の左防止支柱５を構成する対向板部５ａの背面に固定された漏水防止材７１に当接させる（起立状態とする）過程においては、それまで傾斜していた踏み板２１の先端は徐々に上記第２の閉塞蓋１４に接近し、やがてこの踏み板２１に設けられた第１のロック部材３４及び第２のロック部材の先端は、第２の閉塞蓋１４の端面の下端の角部に当接するとともに徐々に上記弾性部材３５の弾性力に抗して該踏み板２１の基端側に移動させられ、その後に上記角部を通過すると、これら第１のロック部材３４及び第２のロック部材の先端は、上記各弾性部材３５の弾性力により第２の閉塞蓋１４に形成された凹部１４ａ，１４ｂ内に挿入される。こうした動作により、上記踏み板２１は、第２の閉塞蓋１４に対して係合しロックされ、該踏み板２１の上面は止水板１が倒伏状態にある際の上面と同じ位置となされる。また、上記起立した止水板１の上端の左右両側を、上記それぞれの回動ロック部材６１，６２により、図７に示すようにロックすることにより、該止水板１は起立状態が固定される。
【００３７】
このように、この実施の形態に係る防水構造によれば、上記止水板１が上記各回動ロック部材６１，６２により起立状態がロックされることにより、自動ドアＤ１，Ｄ２が開放された場合であっても、雨水が店舗内に浸入することが防止される。また、上記止水板１が起立状態でロックされた場合において、外部から通行人が上記止水板１を跨いで店舗内に来店する際には、その来店者（通行人）は必ず上記踏み板２１を踏むこととなり、その来店者の傘や衣服等に付着し落下した雨水は、上記踏み板２１に形成された多数の開口２１ａを通過して上記貯水タンク１０内に貯水される。また、この実施の形態に係る排水構造では、上記一方の左防水支柱２と他方の右防水支柱４並びに上記一方の右防止支柱３と他方の左防止支柱５が配置されてなるとともに、上記一方の左防水支柱２を構成する上記対向板部２ｂと折曲板部２ｃとによりＬ字状に形成された部位から上記一方の右防止支柱３を構成する第１の中間折曲板部３ｃと第２の折曲板部３ｄとによりＬ字状に形成された部位には左防水板６が固定され、上記他方の右防水支柱４を構成する上記対向板部４ｂと折曲板部４ｃとによりＬ字状に形成された部位から上記他方の左防止支柱５を構成する第１の中間折曲板部５ｃと第２の折曲板部５ｄとによりＬ字状に形成された部位には右防水板７が固定されており、これら左防水板６及び右防水板７により、左の自動ドアＤ１と左フィックスＦ１との隙間及び右の自動ドアＤ２と右フィックスＤ２との隙間から雨水が店舗内に浸入することも防止されている。したがって、この実施の形態に係る防水構造によれば、集中豪雨等による雨水が店舗内に浸入することをより防止することが可能となる。
【００３８】
なお、上記貯水タンク１０には排水管挿通用の開口（符号は省略する。）が形成されている。また、上記貯水タンク１０内に配置された排水ポンプ１２には、排水管７４の基端が固定され、この排水管７４は、図９又は図１０に示すように、店舗内の図示しない床下から図示しない店舗の支柱又は壁面から天井側に起立され、図示しない店舗の壁に形成された挿通穴を通って店舗の外側に配管され、先端は店舗の外側の地表近くに位置するように施工されている。
【００３９】
したがって、この防水構造によれば、万が一店舗内に多量の雨水が浸入し上記貯水タンク１０が満杯になった場合であっても、該貯水タンク１０の配置位置又は上記踏み板２１の配置位置よりもさらに店舗の内側に雨水が浸入することを防止することができる。
【００４０】
なお、上記実施の形態に係る防水構造は、冒頭に記載したように、本発明をコンビニエンスストアーのような店舗に適用したものであり、出入口には自動ドアＤ１，Ｄ２が配置された店舗に適用したものであるが、本発明は、上記自動ドアＤ１，Ｄ２が配置されたものではなく、蝶番等により回動操作することにより開閉するタイプのドアが配置された店舗に適用しても良い。こうしたドアが配置された店舗においては、上記左防水板６や右防水板７を配置する必要は無い。また、本発明は、上記店舗ではなく、例えば地下鉄の出入口に適用したものであっても良く、こうした個所に適用することにより、地下に雨水が浸入することを防止することができる。
【符号の説明】
【００４１】
１  止水板
３  一方の右防止支柱
５  他方の左防水支柱
１０  貯水タンク
１２  排水ポンプ
１４  第２の閉塞蓋
１４ａ，１４ｂ  凹部
１７  左載置片
１８  右載置片
２１  踏み板
２１ａ  開口
３１，３２    左右のアーム部
３４  第１のロック部材
３５  弾性部材
４０  第２のロック解除レバー
４７  回動軸
５２  第１のロック解除レバー
５３  第１のロック部材
５４  弾性部材
６１，６２  回動ロック部材
７４  排水管
【図１】
2015086547.tif 000003
【図２】
2015086547.tif 000004
【図３】
2015086547.tif 000005
【図４】
2015086547.tif 000006
【図５】
2015086547.tif 000007
【図６】
2015086547.tif 000008
【図７】
2015086547.tif 000009
【図８】
2015086547.tif 000010
【図９】
2015086547.tif 000011
【図１０】
2015086547.tif 000012